(57)【要約】【課題】飲食用具の構造の大型化や複雑化を招くことなく、また煩雑な保守管理等を必要とすることなく、飲食用具における娯楽性の付与や多機能化等の付加価値の向上を実現する。【解決手段】軸方向に流路１２が貫通して形成された筒体１１からなるストロー１０において、飲食物９１を燃料とする燃料電池１３の燃料極１３ｂおよび空気極１３ａを、筒体１１の内周面および外周面にそれぞれ配置するとともに、燃料電池１３に配線パターン１４を介して接続される発光部１５を設け、流路１２を吸い上げられる飲食物９１が燃料極１３ｂに接する時に、燃料電池１３に電力を発生させて発光部１５を点灯させる構成とし、ストロー１０における飲食物９１の吸い込み動作に応じた発光部１５の点滅等の演出を可能にした。【選択図】図１
2009112643.tif 000002
【特許請求の範囲】
【請求項１】
燃料電池を構成する第１および第２電極が設けられた本体と、
前記燃料電池から出力される電力によって作動する動作部と、
を含むことを特徴とする飲食用具。
【請求項２】
請求項１記載の飲食用具において、
前記第１電極は飲食物に接する燃料極からなり、前記第２電極は空気に接する空気極からなり、前記燃料電池は、前記飲食用具に接する前記飲食物を燃料として発電することを特徴とする飲食用具。
【請求項３】
請求項１記載の飲食用具において、
前記動作部は、光を発生する光源、音または振動を発生する音源、前記光源および音源の少なくとも一方を制御するマイクロコントローラ、の少なくとも一つからなることを特徴とする飲食用具。
【請求項４】
請求項１から請求項３のいずれか１項に記載の飲食用具において、
前記飲食用具は、前記本体が筒体からなるストローであり、前記ストローの内周面に前記第１電極が配置され、前記ストローの外周面に前記第２電極が配置されていることを特徴とする飲食用具。
【請求項５】
請求項４記載の飲食用具において、
前記第１電極は、前記ストローの前記飲食物に対する浸漬端と反対側に選択的に配置され、前記ストロー内を吸い上げられる前記飲食物が、前記第１電極の位置を通過するときに前記燃料電池から前記動作部に電力が供給されて前記動作部が作動することを特徴とする飲食用具。
【請求項６】
請求項４記載の飲食用具において、
前記第１電極は、前記飲食物に対する浸漬される前記ストローの中央部に選択的に配置され、前記ストローの前記第１電極が前記飲食物に浸漬されることによって前記燃料電池から前記動作部に電力が供給されて前記動作部が作動し、前記飲食物が前記第１電極の下端以下に減少することによって、前記動作部が非動作状態となることを特徴とする飲食用具。
【請求項７】
請求項４記載の飲食用具において、
複数の前記第１電極が、前記ストローの軸方向の異なる位置に配置され、前記ストロー内を吸い上げられる前記飲食物が通過する前記第１電極の数の変化に応じて、前記燃料電池から前記動作部に供給される電力が変動するようにしたことを特徴とする飲食用具。
【請求項８】
請求項１から請求項３のいずれか１項に記載の飲食用具において、
前記飲食用具は、前記本体が軸体からなるマドラーであり、前記マドラーの外周面に前記第１および第２電極が配置されていることを特徴とする飲食用具。
【請求項９】
請求項８記載の飲食用具において、
前記第１および第２電極が、前記マドラーの軸方向の異なる位置に配置されていることを特徴とする飲食用具。
【請求項１０】
請求項８記載の飲食用具において、
前記第１および第２電極が、前記マドラーの軸方向の同じ位置に配置されていることを特徴とする飲食用具。
【請求項１１】
請求項１から請求項３のいずれか１項に記載の飲食用具において、
前記飲食用具は、前記飲食物が貯留される貯留凹部を備えた容器型食器からなり、前記容器型食器の前記貯留凹部の内周面に前記第１電極が配置されていることを特徴とする飲食用具。
【請求項１２】
飲食用具に接する飲食物を燃料とする燃料電池を構成する第１および第２電極と、前記燃料電池から出力される電力によって作動する動作部とを前記飲食用具に配置することを特徴とする飲食用具の製造方法。
【請求項１３】
請求項１２記載の飲食用具の製造方法において、
前記第１電極は前記飲食物に接する燃料極からなり、前記第２電極は空気に接する空気極からなることを特徴とする飲食用具の製造方法。
【発明の詳細な説明】
【技術分野】
【０００１】
本発明は、飲食用具および飲食用具の製造技術に関する。
【背景技術】
【０００２】
たとえば、需用者の嗜好の多様化等により、飲食に用いられる食器等にも様々な機能を付加する試みが行われている。
たとえば、特許文献１には、ストローに同軸に装着された装置ボックス（セル）内に、当該ストロー内を吸い上げられる水によって静電容量が変化する感測装置と、この感測装置で計測された静電容量に応じて光やメロディーを発する回路コントロールパネルを備え、娯楽性を向上させようとするメロディーストローが開示されている。
【０００３】
また、特許文献２には、マドラーの軸方向の中央部にＬＥＤ（発光ダイオード）を設けるとともに、当該マドラーの一端には、このＬＥＤを点灯させる電池ボックスを固定し、飲み物の攪拌時にマドラーのＬＥＤから発生する光によって当該マドラーの使用者の雰囲気を演出しようとする技術が開示されている。
【０００４】
しかしながら、前者の特許文献１の技術では、静電容量の変化を検出するため、ストローの周囲に大きなセルを設ける必要があり、構成が複雑かつ大型化し、収納性や洗浄等の保守性が劣る、という技術的課題がある。
【０００５】
また、後者の特許文献２の場合には、ＬＥＤを点灯させるための電池を搭載する必要があり、この電池は消耗品であり、稼働コストが掛かるとともに、電池を収納する電池ボックスも必要となり、やはりマドラーの形態が大型化するとともに、電池ボックスにおける洗浄時の漏水対策等の煩雑な構成も必要になる、という技術的課題がある。
【特許文献１】実用新案登録第３０４５１８０号公報
【特許文献２】特開２００３−１６９７３７号公報
【発明の開示】
【発明が解決しようとする課題】
【０００６】
本発明の目的は、飲食用具の構造の大型化や複雑化を招くことなく、また煩雑な保守管理等を必要とすることなく、飲食用具における娯楽性の付与や多機能化等の付加価値の向上を実現することが可能な技術を提供することにある。
【課題を解決するための手段】
【０００７】
本発明の第１の観点は、燃料電池を構成する第１および第２電極が設けられた本体と、
前記燃料電池から出力される電力によって作動する動作部と、
を含む飲食用具を提供する。
【０００８】
本発明の第２の観点は、飲食用具に接する飲食物を燃料とする燃料電池を構成する第１および第２電極と、前記燃料電池から出力される電力によって作動する動作部とを前記飲食用具に配置する飲食用具の製造方法を提供する。
【発明の効果】
【０００９】
本発明によれば、飲食用具の構造の大型化や複雑化を招くことなく、また煩雑な保守管理等を必要とすることなく、飲食用具における娯楽性の付与や多機能化等の付加価値の向上を実現することが可能な技術を提供することができる。
【発明を実施するための最良の形態】
【００１０】
本実施の形態の第１の態様は、清涼飲料などを飲用する際に用いるストローにおいて、ストロー内面に配置したグルコース酸化電極と、ストロー外面に配置した酸素還元電極と、両電極と制限抵抗を介して接続された発光ダイオードを具備するストローを提供する。
【００１１】
本実施の形態の第２の態様は、清涼飲料などを飲用する際に用いるストローにおいて、ストロー内面に配置したグルコース酸化電極と、ストロー外面に配置した酸素還元電極と、音を奏でるためのメロディーＩＣおよび圧電素子を具備するストローを提供する。
【００１２】
本実施の形態の第３の態様は、お酒やジュースなどを飲用する際に攪拌するマドラーにおいて、マドラー表面に配置したグルコース酸化電極と、マドラー表面に配置した酸素還元電極と、両電極と制限抵抗を介して接続された発光ダイオードを具備するマドラーを提供する。
【００１３】
本実施の形態の第４の態様は、お酒やジュースなどを飲用する際に攪拌するマドラーにおいて、マドラー表面に配置したグルコース酸化電極と、マドラー表面に配置した酸素還元電極と、音を奏でるためのメロディーｌＣおよび庄電素子を具備するマドラーを提供する。
【００１４】
本実施の形態の第５の態様は、上述の第３または第４の態様におけるグルコース酸化電極が、マドラーが飲料に浸漬する側に配置した構成を提供する。
上述の第１および第２の態様によれば、ストローの外径サイズを損なうことなく簡便な機構で燃料電池および発光部を構成すると共に、グルコースといった安全な燃料で発電しながら、この燃料を飲料として飲むことで、燃料電池の能力と安全性の両面を使用者にアピールすることができる。
【００１５】
具体的には、飲み物を飲む際に利用するストローにおいて、そのストローの管内外面にグルコース燃料電池の電極を配置し、電極には発光ダイオード（ＬＥＤ）などが接続された構成とする。これにより燃料となるグルコースを含む飲料をストローで飲むと、ストロー内を流れる際に溶液が電極と接し、グルコースの酸化反応に伴う発電作用が生じる。これにより電極に接続されたＬＥＤが発光し、飲用と共に発電および発光することで、燃料電池の能力（発光）と安全性（飲用）を同時に表現できると共に、発光するストローとしてのエンターテイメント性を有する商品としても成り立つ。電極は薄膜であるため、ストローサイズを損なうことなく構成できる。
【００１６】
上述の第３〜第５の態様によれば、マドラーの外径サイズを損なうことなく簡便な機構で燃料電池および発光部を構成すると共に、グルコースといった安全な燃料で発電しながらも燃料を飲料として飲むことで、燃料電池の能力と安全性の両面を使用者にアピールすることができる。
【００１７】
具体的には、飲み物を攪拌する際に利用するマドラーにおいて、そのマドラーの表面にグルコース燃料電池の電極を配置し、電極には発光ダイオード〈ＬＥＤ）などが接続されている。これにより燃料となるグルコースを含む飲料をマドラーで攪拌すると、攪拌によりマドラー表面の電極に溶液が接し、グルコースの酸化反応に伴う発電作用が生じる。
【００１８】
これにより電極に接続されたＬＥＤが発光し、飲料の攪拌と共に発電および発光することで、燃料電池の能力（発光）と安全性（飲料）を同時に表硯できると共に、発光するマドラーとしてのエンターテイメント性を有する商品としても成り立つ。電極は薄膜であるためマドラーサイズを損なうことなく構成できる。
【００１９】
以下、図面を参照しながら、本発明の実施の形態について詳細に説明する。
（実施の形態１）
図１は、本発明の一実施の形態である飲食用具の構成および原理構造の一例を示す略断面図であり、図２は、本実施の形態の飲食用具の変形例を示す略断面図である。
【００２０】
本実施の形態では、飲食用具の一例としてストロー１０に適用した場合を説明する。
本実施の形態のストロー１０は、軸方向に流路１２が貫通して形成された絶縁体からなる筒体１１からなり、たとえば、グルコースを含む飲料等の飲食物９１に浸漬して使用される。
【００２１】
この場合、ストロー１０には、飲食物９１に含まれるグルコースで発電する燃料電池１３と、この燃料電池１３から出力される電力で動作する動作部としての発光部１５（光源）を備え付けている。
【００２２】
本実施の形態のストロー１０に備えられた燃料電池１３は、当該燃料電池１３の燃料となる飲料等の飲食物９１が通過する筒体１１の流路１２の内周面に配置され、飲食物９１に含まれるグルコースを酸化させる燃料極１３ｂ（第１電極、（−）極）と、筒体１１の外周面に配置され、酸素を還元する空気極１３ａ（第２電極（＋）極）からなり、この空気極１３ａおよび燃料極１３ｂは、筒体１１に一体に形成されている。
【００２３】
ストロー１０に設けられた燃料電池１３を構成する空気極１３ａおよび燃料極１３ｂは、配線パターン１４を介して互いに接続され、この配線パターン１４の経路には、燃料電池１３から供給される電力で光を出射する発光ダイオード（ＬＥＤ）等からなる発光部１５が接続されている。
【００２４】
また、図２に、ストロー１０Ａとして例示されるように、ＬＥＤ等からなる発光部１５の過電圧等による破損を防止するために、制限抵抗等の制御回路素子１６を配線パターン１４の経路に発光部１５と直列に接続する構成としてもよい。
【００２５】
この場合、燃料極１３ｂと発光部１５および空気極１３ａは、たとえば、プリント印刷や、メッキ、蒸着、フォトリソグラフィー技術などを用いて形成されて互いに電気的に結線され、燃料極１３ｂが負極、空気極１３ａが正極となる。
【００２６】
また発光部は図中においてわかりやすく表現するために電球形状のような形態で示しているが、発光体をストロー表面に成形で封止して有機ＥＬ（エレクトロ・ルミネッセンス）ディスプレイのような薄膜状に形成してもよい。図中では便宜上、発光部を球体で表現しているだけであり、ＬＥＤの発光元となる発光体をフィルム状に形成してもよく、より薄く小さく形成することが可能である。
【００２７】
燃料極１３ｂの飲食物９１に没する（接する）面積が大きくなれば、当該面積に比例して燃料電池１３から出力される電流値が増加する。
配線パターン１４および発光部１５等は、シリコーンなど防水埋め込み処理もしくは樹脂での埋め込み成形された防水構造となっており、ストロー１０の全体を、そのままで洗浄することが可能である。
【００２８】
たとえば、燃料極１３ｂおよび空気極１３ａとしては、それぞれ酵素電極および金属電極を用いることが想定され、前者は体内でグルコースを分解する酵素、後者は、たとえば金ナノ粒子を利用した金電極であるため、前者はもともと体内に保有する物質であり、後者は金箔などで食することもある無害な金属であり、いずれも人体に無害である。
【００２９】
なお、空気極１３ａおよび燃料極１３ｂとしては、上述の素材に限らず、人体に無害であれば任意の材料を用いることができる。
図３は、上述の図１および図２に例示される構造原理を踏まえて構成されたストロー１０Ｂの構成および作用を示す略断面図である。
【００３０】
この図３に例示されるストロー１０Ｂでは、筒体１１の中央部の内周面および外周面に、燃料電池１３の燃料極１３ｂおよび空気極１３ａがほぼ等しい長さで配置された構成となっている。
【００３１】
このストロー１０Ｂの場合、使用者が容器９０の中の飲料等の飲食物９１を飲むためにストロー１０Ｂで吸い上げると、ストロー１０Ｂの筒体１１内の燃料極１３ｂに接しながら飲食物９１が流れる。このとき燃料極１３ｂでは飲食物９１中のグルコースが接し、外面では空気中の酸素と空気極１３ａが接することでグルコースが酸化されて燃料電池１３は発電する。この発電の電力は配線パターン１４を伝わって発光部１５に供給され、発光部１５を発光させる。
【００３２】
また、燃料電池１３から出力される電力は、上述のように、燃料極１３ｂに対する飲食物９１に接触面積に比例して変化するため、ストロー１０Ｂの内部における飲食物９１の液面の高さの変動に応じて発光部１５から出射される光量も変化する。
【００３３】
このように、本実施の形態のストロー１０Ｂによれば、使用者に燃料電池１３の仕組みを目視によって簡易に理解させることができるとともに、飲食物９１に含まれるグルコースを燃料とする燃料電池１３を用いているので、燃料である飲食物９１を飲用することが可能であるために、グルコースを燃料とする燃料電池１３の安全性を使用者に体験的に理解させることができる。
【００３４】
また、燃料電池１３を構成する空気極１３ａおよび燃料極１３ｂは薄膜であるとともに、発光部１５もＬＥＤ等で十分に小型化できるため、ストロー本来のサイズを大型化することなく、しかも外観形状を損なうことなく、燃料電池１３および発光部１５等の機能を付加することができるので、発光するストロー１０Ｂはエンターテイメント性を有する商品としても成り立ち、ストロー１０Ｂに娯楽性を持った新たな商品価値を与えることができる。
【００３５】
特に、ストロー１０Ｂに吸い込まれる飲食物９１の流量等の変動に応じて発光部１５の発光量や点滅等の点灯状態が変化するので、使用者に提供される娯楽性は一層高いものとなる。
【００３６】
また、乾電池等の外部電源は全く不要であるため、煩雑な保守管理も全く不要となる。
すなわち、ストロー１０Ｂ等の飲食用具の構造の大型化や複雑化を招くことなく、また煩雑な保守管理等を必要とすることなく、ストロー１０Ｂにおける娯楽性の付与や多機能化等の付加価値の向上を実現することが可能となる。
【００３７】
図４は、図３に例示した本実施の形態のストローの変形例を示す略断面である。
この図４に例示されるストロー１０Ｃは、動作部として、発光部１５の代わりに、音を発生する発音部１７（音源）を備えた点が、上述のストロー１０Ｂと異なっている。
【００３８】
すなわち、このストロー１０Ｃの発音部１７は、たとえば、図示しないメロディーＩＣおよび圧電素子からなるスピーカで構成されている。
そして、飲食物９１の吸い込み状態等に応じて変化する燃料電池１３から供給される電力に応じて、音や音楽、あるいは振動を発生させる。また、燃料電池１３から発音部１７に供給される電力の変動に応じて、発音部１７から発生する音楽やメロディーが変化するため、高い娯楽性を使用者に提供できる。また、ストロー１０Ｃを飲食物９１の吸い込み動作に連動して音楽を奏でる楽器としても使用てきる。
【００３９】
図５は、図３に例示した本実施の形態のストローの変形例を示す略断面である。
この図５に例示されるストロー１０Ｄは、発光部１５とともに、音を発生する発音部１７を備えた点が、上述のストロー１０Ｂと異なっている。
【００４０】
これにより、ストロー１０Ｄに吸い込まれる飲食物９１の吸い込み状態の変化によって、光と音や音楽を組み合わせた表現（プレゼンテーション）が可能になり、高い娯楽性を使用者に提供できる。
【００４１】
たとえば、ストロー１０Ｄに吸い込まれる飲食物９１の吸い込み状態の変化によって、発光部１５から出力される音が変化するので、ストロー１０Ｄを楽器として機能させることもできる。
【００４２】
図６は、図３に例示した本実施の形態のストローの変形例を示す略断面である。
この図６に例示されるストロー１０Ｅは、動作部として、発光部１５および音を発生する発音部１７の他に、さらにマイクロコントローラ１８を備えた点が、上述のストロー１０Ｂと異なっている。
【００４３】
マイクロコントローラ１８は、燃料電池１３から供給される電力で動作するとともに、内蔵したプログラムや論理回路に基づいて、たとえば、燃料電池１３から供給される電力の変動に応じて、発光部１５の明滅や発音部１７から出力されるメロディーを変化させる等の制御動作を行う機能を備えている。
【００４４】
これにより、マイクロコントローラ１８によって、発光部１５および発音部１７から出力される光と音や音楽を組み合わせた表現（プレゼンテーション）の多様な制御が可能になり、一層高い娯楽性を使用者に提供できる。
【００４５】
ここで、本実施の形態のストローにおいて、燃料電池１３を構成する燃料極１３ｂの配置状態によって発光部１５を様々に制御する例を示す。
図７は、本実施の形態の変形例のストローの半断面を示す斜視図である。
【００４６】
この図７の例では、ストロー１０Ｆの筒体１１の流路１２の内周面に設けられる燃料極１３ｂを、吸い込み側の上端部の近傍に配置した構成となっている。一方、筒体１１の外周面には、ほぼ全長にわたって空気極１３ａが配置されている。
【００４７】
このような燃料極１３ｂの配置によって、ストロー１０Ｆの下端を容器９０の飲食物９１に差し入れただけでは、飲食物９１はストロー１０Ｆの上端側の燃料極１３ｂに接しないので発光部１５は点灯せず、使用者が飲食物９１を上端の燃料極１３ｂの高さ以上に吸い込むことで、初めて飲食物９１が燃料極１３ｂを通過して発光部１５が点灯する。
【００４８】
これにより、使用者が飲食物９１を吸い込む時だけ発光部１５を点灯させる演出が可能なる。
図８は、本実施の形態の変形例のストローの半断面を示す斜視図である。
【００４９】
この図８に例示されるストロー１０Ｇの場合には、燃料極１３ｂは、ストロー１０Ｇの全長の中央部に軸方向に所定の長さの範囲に配置されている。
この場合の燃料極１３ｂの位置は、ストロー１０Ｇを容器９０内の飲食物９１に差し入れた時に、燃料極１３ｂが飲食物９１に没する位置に設定しておく。
【００５０】
これにより、このストロー１０Ｇの場合には、容器９０の飲食物９１にストロー１０Ｇを差し入れると燃料極１３ｂが飲食物９１に没するため、直ちに発光部１５が点灯する。そして、容器９０内の飲食物９１が減少し、飲食物９１の液面の高さが燃料極１３ｂの下端以下まで下がると燃料電池１３の発電が停止して発光部１５は消灯する。
【００５１】
これにより、ストロー１０Ｇの発光部１５における点灯の有無によって、ストロー１０Ｇが差し入れられた容器９０における飲食物９１の残量（減少）を外部から認識でき、たとえば、容器９０に対する飲食物９１の注ぎ足しのタイミングを発光部１５の点灯の有無で知ることができる。
【００５２】
図９は、本実施の形態の変形例のストローの半断面を示す斜視図である。
この図９に例示されるストロー１０Ｈでは、筒体１１の上端部の内周に、軸方向に独立な複数の燃料極１３ｂ−１および燃料極１３ｂ−２を配置し、共通な空気極１３ａとともに二つの燃料電池１３を構成し、個々の燃料電池１３が、複数の発光部１５−１および発光部１５−２の各々に個別に接続された構成となっている。
【００５３】
これにより、下側の燃料極１３ｂ−１を飲食物９１が通過することによって下側の発光部１５−１が点灯し、上側の燃料極１３ｂ−２を飲食物９１が通過することによって上側の発光部１５−２が点灯する動作が行われる。ストロー１０Ｈに飲食物９１を吸い込まないときは消灯している。
【００５４】
すなわち、ストロー１０Ｈ内における飲食物９１の吸い込み高さに連動して複数の発光部１５−１および発光部１５−２の点滅が制御されるような演出が可能となる。
なお、図９では、簡単のため燃料極および発光部を二つずつ配置した例を示したが、各々を３個以上軸方向に配列し、たとえば、ストロー１０Ｈに吸い込まれる飲食物９１の高さに連動して複数の発光部１５が点灯するレベルメータのような動作を実現することもできる。
【００５５】
（実施の形態２）
図１０は、本発明の他の実施の形態である飲食用具の構成および原理構造の一例を示す側面図である。なお、上述の図１から図９に例示したストローと共通する構成要素については、共通の符号を付して重複した説明は割愛する。
【００５６】
この図１０では、飲食用具としてマドラー２０に適用した場合について説明する。
中実な絶縁体からなる軸体２１の表面には、飲食物９１等に含まれるグルコースを燃料とする燃料電池１３を構成する空気極１３ａおよび燃料極１３ｂが配置されている。また軸体２１の一端には発光部１５が設けられている。
【００５７】
すなわち、軸体２１の飲食物９１に差し入れられる下端側に燃料極１３ｂが配置され、上端の空気に振れる側に空気極１３ａが配置されている。
そして、燃料電池１３と発光部１５は、配線パターン１４を介して電気的に接続されている。発光部１５や配線パターン１４が防水構造となっていることは、上述のストロー１０の場合と同様である。
【００５８】
これにより、マドラー２０を飲食物９１に浸漬して攪拌する際に、飲食物９１が燃料極１３ｂに接すると燃料電池１３に電力が発生し、この電力によって発光部１５を点灯させることができる。
【００５９】
図１１は、本実施の形態のマドラーの変形例を示す側面図である。
この図１１に例示されるマドラー２０Ａの場合には、燃料電池１３と発光部１５の接続経路に制御回路素子１６を介在させ、燃料電池１３から供給される電力の過電圧等から発光部１５が保護されるようにしたものである。
【００６０】
図１２は、本実施の形態のマドラーのより具体的な構成および作用を説明する側面図である。
この図１２に例示されるマドラー２０Ｂでは、軸体２１の下端部に軸方向の所定の長さに燃料極１３ｂを配置し、その上側に所定の長さに空気極１３ａを配置した構成となっている。
【００６１】
そして、このマドラー２０Ｂを、容器９０内の飲食物９１に浸漬すると、空気極１３ａおよび燃料極１３ｂによって燃料電池１３に電力が発生し、この燃料電池１３に接続されている発光部１５が点灯する。
【００６２】
図１３は、本実施の形態のマドラーの変形例を示す側面図である。
この図１３のマドラー２０Ｃの場合には、ストロー１０Ｂにおける発光部１５の代わりに、発音部１７を備えた点が異なっている。
【００６３】
そして、マドラー２０Ｃによって容器９０の飲食物９１を攪拌すると、燃料電池１３に電力が発生し、この電力に応じて発音部１７から音や音楽が出力される演出が可能となる。また、マドラー２０Ｃを楽器としても使用できる。
【００６４】
図１４は、本実施の形態のマドラーの変形例を示す側面図である。
この図１４に例示されるマドラー２０Ｄの場合には、燃料電池１３に接続される動作部として、発光部１５および発音部１７の両方を備えている。
【００６５】
そして、マドラー２０Ｃによって容器９０の飲食物９１を攪拌すると、燃料電池１３に電力が発生し、この電力に応じて発音部１７および発光部１５から音や音楽および光が出力される多様な演出が可能となる。
【００６６】
図１５は、本実施の形態のマドラーの変形例を示す側面図である。
この図１５に例示されるマドラー２０Ｅの場合には、発光部１５および音を発生する発音部１７の他に、さらにマイクロコントローラ１８を備えた点が、上述のマドラー２０Ｂと異なっている。マイクロコントローラ１８の動作は、上述の図６に例示したストロー１０Ｅの場合と同様である。
【００６７】
図１６は、本実施の形態のマドラーの変形例を示す斜視図である。
この図１６に例示されるマドラー２０Ｆの場合には、軸体２１の周囲の同じ高さ位置に、ほぼ半周ずつ、燃料電池１３の空気極１３ａおよび燃料極１３ｂが配置されている。
【００６８】
そして、このマドラー２０Ｆを容器９０の飲食物９１に入れると発光部１５が点灯する。さらにマドラー２０Ｆによって飲食物９１を攪拌すると、燃料電池１３の燃料としての飲食物９１の対流が活発になるため、発光部１５は更に明るく発光する。飲食物９１が酒類の場合などでは、アルコールの濃度が発光部１５の明るさでわかる。すなわち、飲食物９１のアルコール濃度が高いほど発光部１５は明るく発光する。
【００６９】
本実施の形態のマドラー２０等によれば、燃料電池１３と発光部１５等の簡便な機構を軸体２１に装着するので、マドラー２０の外形寸法を大型化することなく、また外観形状を損なうこともない。
【００７０】
従って、既存のマドラーのサイズや外観を損なうことなく、燃料電池１３および発光部１５による演出機能を付加することができ、娯楽性を持ったマドラーとしての新たな商品価値を与えることができる。
【００７１】
また、飲食物９１に含まれるグルコースを燃料として燃料電池１３を機能させることで、飲食物９１を燃料として発電しつつ、燃料を飲食物９１として飲むことで、グルコースを燃料とする燃料電池１３の能力と安全性の両面を使用者に実感させることができる。
【００７２】
（実施の形態３）
図１７は、本実施の形態の飲食用具のさらに他の実施の形態を示す斜視図である。
この実施の形態では、飲食用具として皿３０に適用した場合を説明する。
【００７３】
本実施の形態の皿３０は、飲食物９１を受ける貯留凹部３１と、この貯留凹部３１の周囲のフランジ部３２からなる。
貯留凹部３１の中央部には、燃料電池１３を構成する燃料極１３ｂが設けられ、貯留凹部３１の周辺部のフランジ部３２との境界部（側壁部）には空気極１３ａが設けられている。
【００７４】
空気極１３ａおよび燃料極１３ｂは、図示しない配線パターンを介してフランジ部３２に設けられた発光部１５に接続されている。発光部１５は、上述のストロー１０やマドラー２０の場合と同様に、防水構造となっている。
【００７５】
なお、空気極１３ａおよび燃料極１３ｂは、皿３０に描かれた絵柄や模様等の意匠の一部または全部を構成するようにしてもよい。
この皿３０の場合、当該皿３０にスープ等の飲食物９１が入ると、飲食物９１に含まれるグルコースを燃料として燃料電池１３が発電し、燃料電池１３から出力される電力によって発光部１５が点灯する。
【００７６】
この場合、燃料電池１３の燃料極１３ｂおよび空気極１３ａが貯留凹部３１に貯留されるスープ等の飲食物９１に浸されるため、皿３０のスープの量が減ってくると、スープ等の飲食物９１を燃料とする燃料電池１３の出力が低下するため発光部１５が徐々に暗くなる。
【００７７】
これは、飲食物９１の量が減ると、燃料極１３ｂに対する飲食物９１の接触面積が小さくなり、燃料電池１３から出力される電流値が下がるためである。
このように、本実施の形態の皿３０の場合にも、皿３０の本来の寸法や外観形状を損なうことなく、燃料電池１３および発光部１５を皿３０に実装しているので、既存の皿３０のサイズや外観を損なうことなく、燃料電池１３および発光部１５による演出機能を付加することができ、娯楽性を持った皿３０としての新たな商品価値を与えることができる。
【００７８】
また、スープ等の飲食物９１に含まれるグルコースを燃料として燃料電池１３を機能させることで、飲食物９１を燃料として発電しつつ、燃料を飲食物９１として飲むことで、グルコースを燃料とする燃料電池１３の能力と安全性の両面を使用者に実感させることができる。
【００７９】
（実施の形態４）
上述の各実施の形態に例示したストロー１０、マドラー２０、皿３０等は、身近な飲食物９１に含まれるグルコースを燃料とする燃料電池１３を備えているため、動作部として当該燃料電池１３の電力で発光する発光部１５を備えている場合には、たとえば非常時の照明用の灯具４０として使用することもできる。
【００８０】
以下、飲食用具を灯具として使用する例について述べる。
図１８は、本発明の実施の形態である灯具の構成例を示す斜視図である。
図１８に例示される灯具４０では、たとえば、一般の市場に広く流通している清涼飲料、スポーツドリンク、ジュース、アルコール飲料等の缶やボトルからなる容器９０Ａの開口部９２にマドラー２０Ｇを差し込んだ構造となっている。
【００８１】
このマドラー２０Ｇは、上述の図１６に例示したマドラー２０Ｆに対して、容器９０Ａの開口部９２に対して当該開口部９２を密閉するように嵌合するゴム等からなるパッキン２２を装着した構造となっている。
【００８２】
そして、容器９０Ａの内部の清涼飲料、スポーツドリンク、ジュース、アルコール飲料等の飲食物９１にマドラー２０Ｇの燃料電池１３を構成する燃料極１３ｂが浸漬されると、燃料電池１３から発光部１５に電力が出力され、発光部１５は点灯して照明光源として機能する。
【００８３】
なお、図１８のように容器９０Ａに対して飲食物９１を少なめに（たとえば、容器９０Ａを直立させた状態では、燃料極１３ｂが飲食物９１に浸漬されない深さに）入れておくと、容器９０Ａを直立させた状態では発光部１５が消灯し、容器９０Ａを水平方向に傾けると飲食物９１に燃料極１３ｂが浸漬されて発光部１５が点灯するように動作させることができる。
【００８４】
すなわち、灯具４０をあたかも点灯および消灯が可能な懐中電灯のように使用できる。
なお、光量が不足する場合は、複数本のマドラー２０Ｇを束ねて容器９０Ａに装着すればよい。
【００８５】
開口部９２の広いコップ等の容器９０Ａに多数本のマドラー２０Ｇやマドラー２０Ｆを差し入れて光量の大きな照明とすることももちろん可能である。
図１８では、容器９０Ａとして、缶の開口部９２（たとえばプルアップ開口部の飲み口）にマドラー２０Ｇを装着する例が示されているが、ペットボトルの場合には、開口部９２は、キャップが螺着される開口部（飲み口）に相当する。
【００８６】
このように、本実施の形態の灯具４０では、飲食物９１を燃料とする燃料電池１３を備えたマドラー２０Ｇを発光機能部として備えているので、身近で容易に入手可能な清涼飲料、スポーツドリンク、ジュース、アルコール飲料等の缶やペットボトル等の容器９０Ａにマドラー２０Ｇを組み合わせるだけで、非常用の照明装置等として簡便かつ確実に使用することができる。
【００８７】
なお、本発明は、上述の実施の形態に例示した構成に限らず、その趣旨を逸脱しない範囲で種々変更可能であることは言うまでもない。
たとえば、飲食用具としては、上述の各実施の形態で例示したストロー１０、マドラー２０、皿３０等に限らず、コップやカップ、ボトル等の容器型の飲食用具や、スプーン、フォーク、ナイフ等の飲食物９１に触れる飲食用具にも同様に適用できることは明らかである。
【００８８】
さらに、カップアンドソーサ等の組物の飲食用具にも適用できる。その場合には、組物の一方の飲食物９１に接する側に燃料電池１３を設け、他方に発光部１５等の動作部を配置し、両者を組み合わせた使用状態で燃料電池１３と発光部１５等が電気的に接続されるような構成としてもよい。
【図面の簡単な説明】
【００８９】
【図１】本発明の一実施の形態である飲食用具の構成および原理構造の一例を示す略断面図である。
【図２】本発明の一実施の形態である飲食用具の変形例を示す略断面図である。
【図３】本発明の一実施の形態である飲食用具としてのストローの構成および作用を示す略断面図である。
【図４】図３に例示した本発明の一実施の形態であるストローの変形例を示す略断面である。
【図５】図３に例示した本発明の一実施の形態であるストローの変形例を示す略断面である。
【図６】図３に例示した本発明の一実施の形態であるストローの変形例を示す略断面である。
【図７】本発明の一実施の形態である変形例のストローの半断面を示す斜視図である。
【図８】本発明の一実施の形態である変形例のストローの半断面を示す斜視図である。
【図９】本発明の一実施の形態である変形例のストローの半断面を示す斜視図である。
【図１０】本発明の他の実施の形態である飲食用具の構成および原理構造の一例を示す側面図である。
【図１１】本発明の一実施の形態であるマドラーの変形例を示す側面図である。
【図１２】本発明の一実施の形態であるマドラーのより具体的な構成および作用を説明する側面図である。
【図１３】本発明の一実施の形態であるマドラーの変形例を示す側面図である。
【図１４】本発明の一実施の形態であるマドラーの変形例を示す側面図である。
【図１５】本発明の一実施の形態であるマドラーの変形例を示す側面図である。
【図１６】本発明の一実施の形態であるマドラーの変形例を示す斜視図である。
【図１７】本発明の一実施の形態である飲食用具のさらに他の実施の形態を示す斜視図である。
【図１８】本発明の実施の形態である灯具の構成例を示す斜視図である。
【符号の説明】
【００９０】
１０  ストロー
１０Ａ  ストロー
１０Ｂ  ストロー
１０Ｃ  ストロー
１０Ｄ  ストロー
１０Ｅ  ストロー
１０Ｆ  ストロー
１０Ｇ  ストロー
１０Ｈ  ストロー
１１  筒体
１２  流路
１３  燃料電池
１３ａ  空気極
１３ｂ  燃料極
１３ｂ−１  燃料極
１３ｂ−２  燃料極
１４  配線パターン
１５  発光部
１５−１  発光部
１５−２  発光部
１６  制御回路素子
１７  発音部
１８  マイクロコントローラ
２０  マドラー
２０Ａ  マドラー
２０Ｂ  マドラー
２０Ｃ  マドラー
２０Ｄ  マドラー
２０Ｅ  マドラー
２０Ｆ  マドラー
２０Ｇ  マドラー
２１  軸体
２２  パッキン
３０  皿
３１  貯留凹部
３２  フランジ部
４０  灯具
９０  容器
９０Ａ  容器
９１  飲食物
９２  開口部
【図１７】
2009112643.tif 000003
【図１８】
2009112643.tif 000004
【図１】
2009112643.tif 000005
【図２】
2009112643.tif 000006
【図３】
2009112643.tif 000007
【図４】
2009112643.tif 000008
【図５】
2009112643.tif 000009
【図６】
2009112643.tif 000010
【図７】
2009112643.tif 000011
【図８】
2009112643.tif 000012
【図９】
2009112643.tif 000013
【図１０】
2009112643.tif 000014
【図１１】
2009112643.tif 000015
【図１２】
2009112643.tif 000016
【図１３】
2009112643.tif 000017
【図１４】
2009112643.tif 000018
【図１５】
2009112643.tif 000019
【図１６】
2009112643.tif 000020